(57)【要約】【課題】簡単な構造で安価に電装品箱の防水対策と虫および小動物の侵入防止対策を実現した冷媒分岐ユニットのカバー構造体を提供する。【解決手段】電装品箱１０Ｂの天面を天面板８０およびその天面板８０の周囲のフランジ８１によってカバーし、背面を背面板２０によってカバーし、前面を前面板３０によってカバーする。電装品箱１０Ｂの室内機側を外部に対して室内機側配線引出板４０の室内機側縦板４１によってカバーするとともに分岐ユニット本体１０Ａに対して室内機側仕切板４２によってカバーする。電装品箱１０Ｂの室外機側を外部に対して室外機側配線引出板６０の室外機側縦板６１によって防水カバーするとともに分岐ユニット本体１０Ａに対して室外機側仕切板６２によってカバーする。【選択図】図６
2014190675.tif 000002
【特許請求の範囲】
【請求項１】
一方の側面から１組の室外機側冷媒ペア配管が延伸し、他方の側面から２組以上の室内機側冷媒ペア配管が延伸する直方体の分岐ユニット本体において、当該分岐ユニット本体の天面に前記分岐ユニット本体の制御用の電装品箱を一体化させた冷媒分岐ユニットをカバーするカバー構造体であって、
前記カバー構造体は、
前記冷媒分岐ユニットの背面に対向する背面板および前面に対向する前面板と、
前記冷媒分岐ユニットの底面に対向する底面板および天面に対向する天面板と、
前記冷媒分岐ユニットの前記室外機側冷媒ペア配管側に対向し、前記室外機側冷媒ペア配管を引き出す室外機側板と、
前記冷媒分岐ユニットの前記室内機側冷媒ペア配管側に対向し、前記室内機側冷媒ペア配管を引き出す室内機側板とで、
前記冷媒分岐ユニットを囲むように構成され、
前記室外機側板は、前記分岐ユニット本体側の空間を区画する室外機側配管引出板と、前記電装品箱側の空間を区画する室外機側配線引出板とからなり、
前記室内機側板は、前記分岐ユニット本体側の空間を区画する室内機側配管引出板と、前記電装品箱側の空間を区画する室内機側配線引出板とからなり、
前記室外機側配管引出板と前記室外機側配線引出板の間には室外機側仕切板が、
前記室内機側配管引出板と前記室内機側配線引出板の間には室内機側仕切板がそれぞれ設けられており、
前記室外機側仕切板および前記室内機側仕切板は、前記分岐ユニット本体側の空間と前記電装品箱側の空間を区画し、
前記電装品箱側の空間は、前記背面板、前記前面板、前記天面板、前記室外機側配線引出板、前記室内機側配線引出板、前記室外機側仕切板、前記室内機側仕切板、前記分岐ユニット本体の天面によって形成されており、
前記室外機側配線引出板および前記室内機側配線引出板は防水手段が設けられていることを特徴とする空気調和機の冷媒分岐ユニットのカバー構造体。
【請求項２】
前記室外機側配線引出板は、前記電装品箱から室外機側配線が引き出される室外機側縦板を有し、該室外機側縦板は下部で前記室外機側仕切板とＬ字形状に組付けられ、且つ前記室外機側縦板における前記背面板と前記前面板と前記天面板との間は前記防水手段が設けられ、
前記室内機側配線引出板は、前記電装品箱から室内機側配線が引き出される室内機側縦板を有し、該室内機側縦板は下部で前記室内機側仕切板とＬ字形状に組付けられ、且つ前記室内機側縦板における前記背面体と前記前面板と前記天面板との間は前記防水手段が設けられていることを特徴とする請求項１に記載の空気調和機の冷媒分岐ユニットのカバー構造体。
【請求項３】
前記室内機側仕切板の前記室内機側縦板と反対側の端部、および前記室外機側仕切板の前記室外機側縦板と反対側の端部は、前記分岐ユニット本体の上部に重ねられ、
前記室外機側仕切板および前記室内機側仕切板の前後方向の長さは、前記分岐ユニット本体の前後方向の長さより長く形成され、
前記分岐ユニットは前記背面板に固定され、前記室外機側仕切板および前記室内機側仕切板は前記背面板および前記前面板に当接しており、
前記室内機側仕切板と前記室外機側仕切板の端部に重ねられ、前記電装品箱と前記前面板との間の隙間を閉鎖する閉鎖板を前記前面板の内面側に取付けていることを特徴とする請求項１又は２に記載の空気調和機の冷媒分岐ユニットのカバー構造体。
【請求項４】
前記底面板は、台座金具を介して前記分岐ユニット本体に固定されていることを特徴とする請求項１ないし３のいずれか一つに記載の空気調和機の冷媒分岐ユニットのカバー構造体。
【発明の詳細な説明】
【技術分野】
【０００１】
本発明は、室外機から複数の室内機へ冷媒を分配する空気調和機の冷媒分岐ユニットに係るもので、特に装着されている電装品箱についての防水対策と虫および小動物の侵入防止対策を施すためのカバー構造体に関する。
【背景技術】
【０００２】
空気調和機の室外機から複数の室内機へ冷媒を分岐する冷媒分岐ユニット１０は、図１５に示すように、分岐ユニット本体１０Ａとそれに一体化された電装品箱１０Ｂとで構成されている。分岐ユニット本体１０Ａは、一方の側面に室外機（図示せず）に接続される室外機側冷媒ペア配管１１（ガス管１１ａと液管１１ｂ）が引き出され、他方の側面に例えば３台の室内機（図示せず）に接続される３組の室内機側冷媒ペア配管１２（ガス管１２ａと液管１２ｂ），１３（ガス管１３ａと液管１３ｂ），１４（ガス管１４ａと液管１４ｂ）が引き出されている。電装品箱１０Ｂは、その分岐ユニット本体１０Ａ内のガスや液体の分流を制御するために電磁弁やセンサ等を制御するのもので、分岐ユニット本体１０Ａに一体的に取り付けられ、図示しない室外機側配線と室内機側配線が引き出される（特許文献１）。
【０００３】
分岐ユニット本体１０Ａおよび電装品箱１０Ｂは一般的に天井裏の配管スペース等の屋内に設置される。分岐ユニット本体１０Ａは、内部が結露しないように防水構造となっていて外部から密閉されているが、そこに一体化されている電装品箱１０Ｂには、特別な防水対策は採られていない。
【０００４】
したがって、屋内に設置スペースがない等の理由によって、冷媒分岐ユニット１０の全体を屋外に設置しなければならないときは、防水がされていない電装品箱１０Ｂについて、雨水の浸入を防ぎ、また、虫やヤモリ、カエル等の小動物の侵入を防ぐ防水対策と虫および小動物の侵入防止対策が必要であり、通常ではその電装品箱１０Ｂ全体を防水カバーで覆うことが行われている。また、分岐ユニット本体１０Ａの外観を向上させるためにカバーで覆うことも行われる。
【先行技術文献】
【特許文献】
【０００５】
【特許文献１】特開２０１２−０１３２７５号公報
【発明の概要】
【発明が解決しようとする課題】
【０００６】
しかしながら、電装品箱１０Ｂの全体を防水カバーで覆うことは、コストアップを招く。本発明の目的は、分岐ユニット本体１０Ａと電装品箱１０Ｂを覆うカバーの一部を共通化することで簡単な構造で安価に電装品箱の防水対策と虫および小動物の侵入防止対策を実現できるようにした冷媒分岐ユニットのカバー構造体を提供することである。
【課題を解決するための手段】
【０００７】
上記した課題を解決するために、本発明の空気調和機の冷媒分岐ユニットのカバー構造体は、一方の側面から１組の室外機側冷媒ペア配管が延伸し、他方の側面から２組以上の室内機側冷媒ペア配管が延伸する直方体の分岐ユニット本体において、当該分岐ユニット本体の天面に前記分岐ユニット本体の制御用の電装品箱を一体化させた冷媒分岐ユニットをカバーするカバー構造体であって、前記カバー構造体は、前記冷媒分岐ユニットの背面に対向する背面板および前面に対向する前面板と、前記冷媒分岐ユニットの底面に対向する底面板および天面に対向する天面板と、前記冷媒分岐ユニットの前記室外機側冷媒ペア配管側に対向し、前記室内機側冷媒ペア配管を引き出す室外機側板と、前記冷媒分岐ユニットの前記室内機側冷媒ペア配管側に対向し、前記室外機側冷媒ペア配管を引き出す室内機側板とで、前記冷媒分岐ユニットを囲むように構成され、前記室外機側板は、前記分岐ユニット本体側の空間を区画する室外機側配管引出板と、前記電装品箱側の空間を区画する室外機側配線引出板とからなり、前記室内機側板は、前記分岐ユニット本体側の空間を区画する室内機側配管引出板と、前記電装品箱側の空間を区画する室内機側配線引出板とからなり、前記室外機側配管引出板と前記室外機側配線引出板の間には室外機側仕切板が、前記室内機側配管引出板と前記室内機側配線引出板の間には室内機側仕切板がそれぞれ設けられており、前記室外機側仕切板および前記室内機側仕切板は、前記分岐ユニット本体側の空間と前記電装品箱側の空間を区画し、前記電装品箱側の空間は、前記背面板、前記前面板、前記天面板、前記室外機側配線引出板、前記室内機側配線引出板、前記室外機側仕切板、前記室内機側仕切板、前記分岐ユニット本体の天面によって形成されており、前記室外機側配線引出板および前記室内機側配線引出板は防水手段が設けられていることを特徴としている。
【０００８】
また、前記室外機側配線引出板は、前記電装品箱から室外機側配線が引き出される室外機側縦板を有し、該室外機側縦板は下部で前記室外機側仕切板とＬ字形状に組付けられ、且つ前記室外機側縦板における前記背面板と前記前面板と前記天面板との間は前記防水手段が設けられ、前記室内機側配線引出板は、前記電装品箱から室内機側配線が引き出される室内機側縦板を有し、該室内機側縦板は下部で前記室内機側仕切板とＬ字形状に組付けられ、且つ前記室内機側縦板における前記背面体と前記前面板と前記天面板との間は前記防水手段が設けられることを特徴としている。
【０００９】
また、前記室内機側仕切板の前記室内機側縦板と反対側の端部、および前記室外機側仕切板の前記室外機側縦板と反対側の端部は、前記分岐ユニット本体の上部に重ねられ、前記室外機側仕切板および前記室内機側仕切板の前後方向の長さは、前記分岐ユニット本体の前後方向の長さより長く形成され、前記分岐ユニットは前記背面板に固定され、前記室外機側仕切板および前記室内機側仕切板は前記背面板および前記前面板に当接しており、前記室内機側仕切板と前記室外機側仕切板の端部に重ねられ、前記電装品箱と前記前面板との間の隙間を閉鎖する閉鎖板を前記前面板の内面側に取付けていることを特徴としている。
【００１０】
また、前記底面板は、台座金具を介して前記分岐ユニット本体に固定されていることを特徴としている。
【発明の効果】
【００１１】
本発明のカバー構造体によれば、カバー構造体内で、分岐ユニット本体を有する空間と、電装品箱を有する空間とに区画し、電装品箱を有する空間には防水手段が施されている。よって、簡単な構造で安価に電装品箱の防水対策と虫および小動物の侵入防止対策を実現することができる。
【図面の簡単な説明】
【００１２】
【図１】冷媒分岐ユニットへの本実施例の背面板の取り付けの説明図である。
【図２】冷媒分岐ユニットへの本実施例の底面板の取り付けの説明図である。
【図３】冷媒分岐ユニットへの本実施例の室内機側配管引出板の一部取り付けの説明図である。
【図４】本実施例の室内機側配管引出板の分解斜視図である。
【図５】冷媒分岐ユニットへの本実施例の室外機側配管引出板の取り付けの説明図である。
【図６】冷媒分岐ユニットへの本実施例の室内機側配線引出板の取り付けの説明図である。
【図７】本実施例の室内機側配線引出板の分解斜視図である。
【図８】冷媒分岐ユニットへの本実施例の室外機側配線引出板の取り付けの説明図である。
【図９】本実施例の室外機側配線引出板の分解斜視図である。
【図１０】冷媒分岐ユニットへの本実施例の前面板と室内機側配管引出板の残り一部の取り付けの説明図である。
【図１１】冷媒分岐ユニットへの本実施例の電装品箱の上蓋の取り付けの説明図である。
【図１２】冷媒分岐ユニットへの本実施例の天面板の取り付けの説明図である。
【図１３】本実施例のカバー構造体の各部品をまとめて梱包する際のブロック化の説明図である。
【図１４】本実施例のカバー構造体の各部品をまとめて梱包する際の説明図である。
【図１５】従来の冷媒分岐ユニットの説明図である。
【発明を実施するための形態】
【００１３】
図１〜図１２において、１０は前記した冷媒分岐ユニットであり、分岐ユニット本体１０Ａと電装品箱１０Ｂとが一体化されている。本実施例では、分岐ユニット本体１０Ａは、一方の側面から室外機側冷媒ペア配管１１が、他方の側面から３組の室内機側冷媒ペア配管１２、１３、１４が延伸している直方体の形状を有している。この冷媒分岐ユニット１０の背面１５を背面板２０で、前面１９を前面板３０で、室内機側冷媒ペア配管１２，１３，１４が延伸する右側面１８ａを室内機側配線引出板４０と室内機側配管引出板５０で、室外機側冷媒ペア配管１１が延伸する左側面１８ｂを室外機側配線引出板６０と室外機側配管引出板７０で、天面１７（電装品箱の上蓋）を天面板８０で、底面を底面板９０で、それぞれ覆うカバー構造体である。以下、詳しく説明する。
【００１４】
図１は冷媒分岐ユニット１０への背面板２０の取り付けを示す図であり、背面板２０は４個のネジ１Ａによって分岐ユニット本体１０Ａの背面１５に取り付けられる。この背面板２０は、その３辺に、内側に折り曲げたフランジ２１が形成され、そのフランジ２１が形成されていない辺（下辺）には、後記する図２（ｃ）に示すように折曲爪２２が形成されている。折曲爪２２は、背面板２０の平面から内側に折り曲げて形成され、奥端部には切欠部２２ａが設けられている。
【００１５】
図２は冷媒分岐ユニット１０への底面板９０の取り付けを示す図である。底面板９０は、その４辺に、上側に折り曲げたフランジ９１が形成されると共に、底面の４個のネジ止め位置にスリット９２が形成されている。このスリット９２の内側（分岐ユニット本体１０Ａの側）には、ネジ止め突起９３ａが分岐ユニット本体１０Ａ側に突出するように台座金具９３（図２（ｂ）参照）が溶着されている。
【００１６】
この底面板９０の取り付けの際は、まず、図２（ｃ）に示すように、底面板９０のフランジ９１の奥端部９１ａに形成されたスリット９１ａ１に背面板２０の折曲爪２２を差し込んだ状態でスライドさせる。これによってスリット９１ａ１が切欠部２２ａに引っかかり、底面板９０が背面板２０の下部に仮止めされる。この後、４個のネジ１Ｂをスリット９２からネジ止め突起９３ａの孔を通して分岐ユニット本体１０Ａの底面１６の孔（図示せず）にねじ込むことによって、底面板９０を分岐ユニット本体１０Ａの底面１６に固着する。これにより、分岐ユニット本体１０Ａは、台座金具９３によって、底面板９０から若干のスペースだけ浮いた状態になる。
【００１７】
また、底面板９０は、冷媒分岐ユニット１０に比べて、背面板２０に接続する一方の端部から他方の端部までが長く形成されている。
【００１８】
図３（ａ）、（ｂ）は背面板２０と底面板９０に対する室内機側配管引出板５０一部の取り付けを示す図である。なお、図３（ａ），（ｂ）では３組のペア配管１２〜１４には断熱保護材２００が装着されている。
【００１９】
室内機側配管引出板５０は、図４に示すように、中央板５１とその両側に装着される脇板５２，５３からなる。中央板５１は、平面視でＩ字形状（横にするとＨ形状）であり、縦長の柱片５１ａ、横長の上片５１ｂ、横長の下片５１ｃを備えている。そして、柱片５１ａの両側にはそれぞれ補強のためのフランジ５１ａ１が、上片５１ｂの上部に補強のためのフランジ５１ｂ１が、上片５１ｂの下部に補強のためのフランジ５１ｂ２が、下片５１ｃの上部に補強のためのフランジ５１ｃ１が、下片５１ｃの下部に補強のためのフランジ５１ｃ２が形成され、これにより中央片５１は単独で十分な強度を保持している。また、柱片５１ａのフランジ５１ａ１奥端部には上下に離れた２個のスリット５１ａ２が、他方にも上下に離れた２個のスリット５１ａ３が形成されている。
【００２０】
一方の脇板５２は、平面が中央板５１の右脇の上片５１ｂ、柱片５１ａ、下片５１ｃで３辺が構成される右側凹部５１ｄ内に収まる大きさであり、中央板５１と対向する側に３個の四角形状の切取片５２ａが形成され、各切取片５２ａの間で中央板５１の柱片５１ａに当接する端部に２個の差込片５２ｂが形成されている。他方の脇板５３は、平面が中央板５１の左脇の上片５１ｂ、柱片５１ａ、下片５１ｃで３辺が構成される左側凹部５１ｅに収まる大きさであり、中央板５１と対向する側に３個の四角形状の切取片５３ａが形成され、その各切取片５３ａの間で中央板５１の柱片５１ａに当接する端部に２個の差込片５３ｂが形成されている。
【００２１】
そして、例えば、脇板５２，５３の切取片５２ａ，５３ａを除去した後に、中央板５１の一方のスリット５１ａ２に脇板５２の差込片５２ｂを差し込み、他方のスリット５１ａ３に脇板５３の差込片５２ｂを差し込めば、中央板５１と脇板５２，５３により四角形状の１枚板状の室内機側配管引出板５０が組み立てられ、切取片５２ａ，５３ａを除去した部分に、ペア配管をガイドする切除凹部が合計６個形成される。
【００２２】
取り付けの際は、中央板５１は、図３（ａ）に示すように、まず、その上片５１ａと下片５１ｂの奥端部が、背面板２０のフランジ２１の室内機側端部２１ａに、それぞれネジ１Ｃでネジ止めされる。次に、図３（ｂ）に示すように、断熱保護材２００が装着された３組のペア配管１２〜１４のガス管１２ａ，１３ａ，１４ａ側が配置可能となるように、脇板５２の３個の切取片５２ａを切り取って切除凹部を形成する。そして、切除凹部に断熱保護材２００で保護されたガス管１２ａ，１３ａ，１４ａを配置してからその脇板５２の２個の差込片５２ｂを中央板５１の２個のスリット５１ａ２に差し込んで、中央板５１に対して脇板５２を面一に一体化する。さらに、奥端部の２カ所を背面板２０のフランジ２１の室内機側端部２１ａにネジ１Ｄでネジ止めする。以上により、室内機側配管引出板５０の中央板５１と脇板５２が組み立てられる。
【００２３】
これにより、中央板５１は、上片５１ｂと下片５１ｃにおいて背面板２０と前面板３０を接続しているので、カバー構造体の強度を十分確保することができる。さらに、中央板５１には補強のフランジが形成されており、中央板５１の強度をさらに向上させている。また、脇板５２、５３に切取片５２ａ、５３ａを設けているので、中央板５１に切欠きを設ける必要はなく、中央板５１の強度を下げることはない。
【００２４】
図５（ａ）、（ｂ）は背面板２０と底面板９０に対する室外機側配管引出板７０の取り付けを示す図である。室外機側配管引出板７０は、２個の脇板７１，７２からなり、それぞれには断熱保護材３００が装着されたペア配管１１のガス管１１ａと液管１１ｂが配置可能な半円状の切欠部７１ａ，７２ａが形成されている。
【００２５】
その室外機側配管引出板７０の組み立てに当たっては、図５（ａ）に示すように、まず、断熱保護材３００が装着されたガス管１１ａと液管１１ｂを脇板７１の２個の切欠部７１ａの内に配置してから、脇板７１をネジ１Ｅによって背面板２０のフランジ２１の室外機側端部２１ｂに取り付ける。次に、図５（ｂ）に示すように、脇板７２を、その２個の切欠部７２ａが断熱保護材３００が装着されたガス管１１ａと液管１１ｂの内に位置するように配置してから、ネジ１Ｆによって底面板９０のフランジ９１の室外機側端部９１ｂに取り付ける。このとき、脇板７２は、脇板７１の切欠部７１ａが形成された辺にスリット７１ｂが形成されているので、その脇板７２の差込辺（図示せず）を、前述した室内機側配管引出板５０においてスリット５１ａ２に差込辺５２ｂを差し込む手順と同様の手順により、そのスリット７１ｂに差し込むことにより、脇板７１，７２が一体化された室外機側配管引出板７０が組み立てられる。
【００２６】
図６は背面板２０と室内機側配管引出板５０と電装品箱１０Ｂに対する室内機側配線引出板４０の取り付けを示す図である。室内機側配線引出板４０は室内機側配線が引き出される室内機側縦板４１とカバー構造体の内部スペースを分岐ユニット本体１０Ａ側と電装品箱１０Ｂ側とに区画する室内機側仕切板４２から構成されている。室内機側縦板４１は図７に示すように、開口することによって室内機側配線を通過可能な複数のめくら孔４１ａ、上辺において内側に折れ曲がったフランジ４１ｂ、下辺において内側に折れ曲がったフランジ４１ｃ、外側の上端、右端、左端に装着された外側防水パッキン４１ｄ（図６（ａ）で図示）を有する。下辺のフランジ４１ｃには、切欠４１ｃ１が２カ所形成されている。室内機側仕切板４２は、室内機側縦板４１と横幅が同一となっており、一方の端部に切起片４２ａが２カ所形され、他方の端部の右角に爪４２ｂが形成されている。
【００２７】
この室内機側配線引出板４０は、図７（ｃ）に示すように、室内機側縦板４１のフランジ４１ｃの切欠４１ｃ１を、室内機側仕切板４２の切起片４２ａに挿入し、図７（ｂ）に示すように２個のネジ１Ｈによって取付けることで、室内機側縦板４１と室内機側仕切板４２がＬ字形状となるように組み立てられる。
【００２８】
そして、図６（ｂ）に示すように、室内機側仕切板４２の爪４２ｂを電装品箱１０Ｂの係合孔１０Ｂ１に係合させて、室内機側仕切板４２の先端部を電装品箱１０Ｂと分岐ユニット本体１０Ａとの隙間に押し込む。さらに、図６（ｃ）に示すように、ネジ１Ｇによって室内機側縦板４１の右端を背面板２０のフランジ２１の室内機側端部２１ａの上部内側に、防水パッキン４１ｄの一部を挟持した状態で固着する。この後、必要に応じて開口させておいた室内機側縦板４１のめくら穴４１ａの一部又は全部に防水保護ブッシュ４１ｆを装着してから電装品箱１０Ｂの配線４００をその防水保護ブッシュ４１ｆに挿通して外部に引き出す。
【００２９】
図８は背面板２０と室外機側配管引出板７０と電装品箱１０Ｂに対する室外機側配線引出板６０の取り付けを示す図である。室外機側配線引出板６０は室外機側縦板６１と室外機側仕切板６２から構成されている。室外機側縦板６１は図９に示すように、開口することによって配線を通過可能な複数のめくら孔６１ａ、上辺において内側に折れ曲がったフランジ６１ｂ、下辺において内側に折れ曲がったフランジ６１ｃ、外側の上端、右端、左端に装着された外側防水パッキン６１ｄ（図８（ａ）で図示）を有する。下辺のフランジ６１ｃには、切欠６１ｃ１が２カ所形成されている。この室外機側縦板６１は、前記した室内機側縦板４１と同じ大きさ同じ形状である。室外機側仕切板６２は、一方の端部２カ所に切起片６２ａが形成されている。この室外機仕切板６２はその横幅が前記した室内機側仕切板４２と同じである。
【００３０】
この室外機側配線引出板６０は、図９（ａ）に示すように、室外機側縦板６１のフランジ６１ｃの切欠６１ｃ１を室外機側仕切板６２の室外機側縦板６１の切起片６２ａに挿入し、図９（ｂ）に示すように、ネジ１Ｋによって取付けることで、前述した室内機側配線引出板４０と同様に、室外機側縦板６１と室外機側仕切板６２がＬ字形状となるように組み立てられる。
【００３１】
そして、図８（ａ）に示すように、室外機側配管引出板６０は、室外機側仕切板６２の端部が分岐ユニット本体１０Ａと電装品箱１０Ｂの間に位置する状態で室外機側縦板６１の左縁を背面板２０のフランジ２１の室外機側端部２１ｂの内側に押し込んでから、図８（ｂ）に示すように、ネジＪ１によって室外機側縦板６１の左端を背面板２０のフランジ２１の室外機側端部２１ｂの内側に防水パッキン４１ｄの一部を挟持した状態で固着する。この後、必要に応じて、予め開口しておいた室外機側縦板６１のめくら孔６１ａの一部又は全部に防水保護ブッシュ６１ｆを装着してから、電装品箱１０Ｂの配線５００をその防水保護ブッシュ６１ｆに挿通して外部に引き出す。
【００３２】
図１０（ａ）、（ｂ）は前面板３０の取り付けを示す図である。前面板３０は、背面板２０と同じ大きさであり、その周囲４辺には内側に折れ曲がったフランジ３１が形成されている。この前面板３０には内側に閉鎖板３２が設けられており、閉鎖板３２は、室内機側仕切板４２の端部から室外機側仕切板６２の端部にわたって、冷媒分岐ユニット１０と前面板との間に生じる隙間を閉鎖するためのものであり、前面板３０を底面板９０のフランジ９１の前面側９１ｃの内側に立ち上がるようにネジ１Ｌで取り付けることで、閉鎖板３２が室内機側仕切板４２の端部と室外機側仕切板６２の端部に重なり、これによってカバー構造体内の分岐ユニット本体１０Ａを有する空間と電装品箱１０Ｂを有する空間とが室内機側仕切板４２、室外機側仕切板６２および閉鎖板３２によって区画される。
【００３３】
そして、室内機側の側面において、室内機側配線引出板４０の外側防水パッキン４１ｄがフランジ３１の右端部３１ａとその室内機側配線引出板４０とで挟持されるように、ネジ１Ｍにより室内機側配線引出板４０に前面板３０を固着する。また、前面板３０のフランジ３１の室内機側端部３１ａの下部に、ネジ１Ｎにより室内機側配管引出板５０の中央板５１の上片５１ｂおよび下片５１ｃを固着し、その後、脇板５３を固着する。このとき、脇板５３は、断熱保護材２００で保護された液管１２ｂ，１３ｂ，１４ｂをガイドできるよう切取片５３ａを予め切り取り切除凹部を形成しておく。また、中央板５１の柱片５１ａのスリット５１ａ３に、その脇板５３の差込片５３ｂを差し込むことで、脇板５３が中央板５１と一体化する。
【００３４】
さらに、室外機側の側面において、室外機側配線引出板６０の外側防水パッキン６１ｄがフランジ３１の室外機側端部３１ｂとその室外機側配線引出板６０とで挟持されるように、ネジ１Ｐにより室外機側配線引出板６０に前面板３０を固着する。また、前面板３０のフランジ３１の室外機側端部３１ｂの下部をネジ１Ｑにより室外機側配管引出板７０の脇板７２に固着する。なお、この図１０では配線４００、５００の表示は省略したが、通常は配線４００，５００が接続されており、図１１に示すように、電装品箱１０Ｂの上蓋１７を閉じる。
【００３５】
最後に、図１２に示すように、背面板２０、前面板３０、室内機側配線引出板４０、室外機側配線引出板６０の上端に、天面板８０を乗せて、ネジ１Ｒにより閉じることにより、組み立てが完了する。天面板８０は周囲４辺に内側に折れ曲がったフランジ８１が形成されている。このとき、室内機側配線引出板４０の外側の防水パッキン４１ｄは、そのフランジ８１の室内機側端部８１ａによって圧着される。また、室外機側配線引出板６０の外側の防水パッキン６１ｄは、フランジ８１の室内機側端部８１ｂによって圧着される。
【００３６】
以上の組み立てにより、カバー構造体は背面板２０、前面板３０、天面板８０、底面板９０、室内機側配線引出板４０、室内機側配管引出板５０、室外機側配線引出板６０、室外機側配管引出板７０によって内部を外気に対して区画され、さらに、カバー構造体内の分岐ユニット本体１０Ａを有する空間と電装品箱１０Ｂを有する空間とが室内機側仕切板４２、室外機側仕切板６２および閉鎖板３２によって区画される。電装品箱１０Ｂの上部は、天面板８０およびその天面板８０の周囲のフランジ８１によってカバーされ、背面１５側は背面板２０によってカバーされ、前面１９側は前面板３０によってカバーされる。また、電装品箱１０Ｂの室内機側は、外部に対して室内機側配線引出板４０の室内機側縦板４１によってカバーされるとともに分岐ユニット本体１０Ａに対して室内機側仕切板４２によってカバーされる。さらに、電装品箱１０Ｂの室外機側は、外部に対して室外機側配線引出板６０の室外機側縦板６１によってカバーされるとともに分岐ユニット本体１０Ａに対して室外機側仕切板６２によってカバーされる。さらに、室内機側配線引出板４０の室内機側縦板４１と室外機側配線引出板６０の室外機側縦板６１は、背面板２０と前面板３０と天面板８０とに当接する位置に防水パッキンを有しているので、電装品箱１０Ｂを有する空間は外部に対して防水構造となる。一方、電装品箱１０Ａを有する空間の分岐ユニット本体１０Ａ側の面を区画している室内機側仕切板４２、室外機側仕切板６２、閉鎖板３２は防水パッキン等の防水手段を有していないが、これは、水分が外部から分岐ユニット本体１０Ａを有する空間を介して電装品箱１０Ｂを有する空間に吹き上がってくることは考えにくいためである。以上によって、簡単な構造で安価に電装品箱の防水対策と虫および小動物の侵入防止対策を実現することができる。
【００３７】
また、室内機側配管引出板５０は、ネジを外すことにより、脇板５２は背面板２０と底面板９０から、脇板５３は前面板３０と底面板９０から、それぞれ独立して取り外すことが可能であるので、その取り外しによって室内機側のペア配管１２〜１４の冷媒漏れ等の確認を行うことができ、保守作業が簡単となる。このとき、中央板５１はフランジ５１ａ１，５１ｂ１，５１ｃ１によって補強されているので、その形状が崩れることはない。また、脇板５２，５３の切取片５２ａ，５３ａは、そこにペア配管を挿通しないときはそのままの形態を保持する、つまり開口されないので、分岐ユニット本体１０Ａ側の水、虫および小動物の侵入を防止し、また、外観を良好に保持することができる。
【００３８】
なお、分岐ユニット本体１０Ａは台座金具９３によって底面板から離れて配置されているので、外部から本実施例のカバー構造体内の分岐ユニット本体１０Ａを有する空間に浸入した水分が底面板付近に溜ったとしても、分岐ユニット本体１０Ａが水に浸かることはない。さらに、底面板９０のフランジ９１はその４隅の部分に切欠部を予め形成しておくことにより、分岐ユニット本体１０Ａ内に侵入した水分は、その切欠部から外部に排出される。
【００３９】
以上のようにして組み立てた背面板２０、前面板３０、室内機側配線引出板４０、室内機側配管引出板５０、室外機側配線引出板６０、室内機側配管引出板７０は、梱包時には平板状に重畳することができる。
【００４０】
すなわち、背面板２０と前面板３０は、外形が同じ大きさであり、図１３（ａ）に示すように、前面板３０の内側に発泡スチロール棒６０１，６０２，６０３を載せてから、その上に背面板２０を、そのフランジ２１が前面板３０のフランジ３１の内側に入るように重ね、平板ブロックＢ１とする。このとき、フランジ２１，３１の角部分に切欠きを設けておけば、そこに相手側のフランジを嵌め込むことができるので、両者を完全に重ねることができる。
【００４１】
また、天面板８０と底面板９０は、外形が同じ大きさであり、図１３（ｂ）に示すように、それらのフランジ８１と９１が向かい合ように重ね、平板ブロックＢ２とする。このときも、フランジ８１，９１の角部分に切欠きを設けておけば、そこに相手側のフランジを嵌め込むことができるので、両者を完全に重ねることができる。
【００４２】
また、室内機側縦板４１と室外機側縦板６１は、同一形状であり、図１３（ｃ）に示すように、それらのフランジ４１ｂ，４１ｃと６１ｂ，６１ｃが互い違いに向かい合うようにずらして重ね、平板ブロックＢ３とする。
【００４３】
また、室外機側配管引出板７０の脇板７１，７２は脇板７１のスリット７１ｂに脇板７２の差込片を挿入することで１枚板とする。室内機側仕切板４２と室外機側仕切板６２は、室内機側仕切板４２の上に室外機側仕切板６２を重ねる。室内機側配管引出板５０は、中央板５１のスリット５１ａ２に脇板５２の差込片５２ｂを差し込み、スリット５１ａ３に脇板５３の差込片５３ｂを差し込むことで、１枚板とする。そして、これらを重ねることで、平板ブロックＢ４とする。
【００４４】
以上の平板ブロックＢ１〜Ｂ４を扁平な梱包箱７００に収納するときは、その梱包箱７００にシート８００を敷いておいてから、その上に、平板ブロックＢ１を載せ、その平板ブロックＢ１の上に平板ブロックＢ２、Ｂ３，Ｂ４を並べて載せる。そして、取扱説明書等の書籍９００を残りスペースに載せて、シート８００で全体を覆い、梱包箱７００を閉じる。なお、書籍は大きさに応じて平板ブロックＢ１，Ｂ２，Ｂ３等の内側に挿入することもできる。
【００４５】
以上により、カバー構造体を構成する全ての部品が板状の部材からなっており、梱包時は全ての部品を平行に重畳し、且つ、背面板２０または前面板３０の上面視で投影面内に収めるようにすることで、扁平な梱包箱７００内に整然と収納されることになる。
【符号の説明】
【００４６】
１０：冷媒分岐ユニット、１０Ａ：分岐ユニット本体、１１：室外機側冷媒ペア配管、１２〜１４：室内機側冷媒ペア配管、１５：背面、１６：底面、１０Ｂ：電装品箱、１７：上蓋
２０：背面板、２１：フランジ、２１ａ：室内機側端部、２１ｂ：室外機側端部、２２：折曲爪
３０：前面板、３１：フランジ、３１ａ：室内機側端部、３１ｂ：室外機側端部、３２：閉鎖板
４０：室内機側配線引出板、４１：室内機側縦板、４１ａ：めくら孔、４１ｂ，４１ｃ：フランジ、４１ｃ１：切欠部、４１ｄ：防水パッキン、４１ｆ：防水保護ブッシュ、４２：室内機側仕切板、４２ａ：切起片、４２ｂ：爪
５０：室内機側配管引出板、５１：中央板、５１ａ：柱片、５１ａ１：フランジ、５１ａ２，５１ａ３：スリット、５１ｂ：上片、５１ｂ１：フランジ、５１ｃ：下片、５１ｃ１：フランジ、５１ｄ：右側凹部、５１ｅ：左側凹部、５２：脇板、５２ａ：切取片、５２ｂ：差込片、５３：脇板、５３ａ：切取片、５３ｂ：差込片
６０：室外機側配線引出板、６１：室外機側縦板、６１ａ：めくら孔、６１ｂ，６１ｃ：フランジ、６１ｃ１：切欠部、６１ｄ：防水パッキン、６２：室外機側仕切板、６２ａ：切起片
７０：室外機側配管引出板、７１，７２：脇板、７１ａ，７２ａ：切欠部、７１ｂ：スリット
８０：天面板、８１：フランジ，８１ａ：室内機側端部、８１ｂ：室外機側端部
９０：底面板、９１：フランジ、９１ａ：奥端部、９１ａ１：スリット、９１ｂ：室外機側端部、９２：スリット、９３：台座金具、９３ａ：ネジ止め突起
２００：室内機側の断熱保護材、３００：室外機側の断熱保護材、４００：室内機側の配線、５００：室外機側の配線、６０１〜６０３：発泡スチロール棒、６０４：フレーム、７００：ダンボール箱、８００：シート、９００：書籍
【図１】
2014190675.tif 000003
【図２】
2014190675.tif 000004
【図３】
2014190675.tif 000005
【図４】
2014190675.tif 000006
【図５】
2014190675.tif 000007
【図６】
2014190675.tif 000008
【図７】
2014190675.tif 000009
【図８】
2014190675.tif 000010
【図９】
2014190675.tif 000011
【図１０】
2014190675.tif 000012
【図１１】
2014190675.tif 000013
【図１２】
2014190675.tif 000014
【図１３】
2014190675.tif 000015
【図１４】
2014190675.tif 000016
【図１５】
2014190675.tif 000017